(57)【特許請求の範囲】
【請求項１】
眼底血管の血流情報を取得する血流計測装置であって、
血管に沿う断面を含む眼底の領域を光コヒーレンストモグラフィを用いて走査することにより画像データを取得するデータ取得部と、
前記画像データを解析することにより前記画像データ内の層領域を特定する層領域特定部と、
前記層領域と前記断面との共通領域の傾きを算出する傾き算出部と
を備える血流計測装置。
【請求項２】
前記傾き算出部は、前記共通領域の形状を近似する線分を求め、前記共通領域の傾きとして前記線分の傾きを算出する
ことを特徴とする請求項１に記載の血流計測装置。
【請求項３】
前記傾き算出部は、前記共通領域における２点を結ぶ第１線分を前記線分として求める
ことを特徴とする請求項２に記載の血流計測装置。
【請求項４】
前記傾き算出部は、前記共通領域に最小二乗法を適用することにより前記線分としての第２線分を求める
ことを特徴とする請求項２に記載の血流計測装置。
【請求項５】
前記眼底の注目血管に実質的に直交するように注目断面を指定するためのユーザインターフェイスと、
前記注目断面に対して直交するように前記注目血管に沿う断面を設定する断面設定部と
を備え、
前記データ取得部は、前記断面設定部により設定された前記断面を含む領域を走査することにより前記画像データを取得する
ことを特徴とする請求項１〜請求項４のいずれか一項に記載の血流計測装置。
【請求項６】
前記層領域は、網膜の内境界膜に相当する画像領域である
ことを特徴とする請求項１〜請求項５のいずれか一項に記載の血流計測装置。
【発明の詳細な説明】
【技術分野】
【０００１】
この発明は血流計測装置に関する。
【背景技術】
【０００２】
光コヒーレンストモグラフィ（Ｏｐｔｉｃａｌ  Ｃｏｈｅｒｅｎｃｅ  Ｔｏｍｏｇｒａｐｈｙ：ＯＣＴ）は、対象の形態の計測だけでなく、その機能の計測にも利用される。例えば、ＯＣＴを用いて生体の血流計測を行うための装置が知られている。ＯＣＴを用いた血流計測は、眼底血管などに応用されている。
【先行技術文献】
【特許文献】
【０００３】
【特許文献１】特開２０１３−１８４０１８号公報
【特許文献２】特開２００９−１６５７１０号公報
【特許文献３】特表２０１０−５２３２８６号公報
【発明の概要】
【発明が解決しようとする課題】
【０００４】
一般に、ＯＣＴを用いて血流情報を取得するには、計測対象である血管の向きを推定することが必要である。これは、血管に対する測定光の入射方向と血流方向（血管の向き）との間の角度に応じて変化するドップラー周波数シフトに基づいて血流情報を求めるからである。
【０００５】
血管の向きの推定は、ドップラーＯＣＴの演算だけでなく、指定された血管（候補血管）が血流計測に好適な向きに配置されているか判定するためにも利用される。候補血管の判定はリアルタイムで迅速に行われることが望ましく、それには処理の効率化が求められる。
【０００６】
また、経過観察や術前術後観察においては血流計測が繰り返し行われるため、再現性が確保されている必要がある。血管の向きを推定するための従来の技術では、同一血管の同一断面を同一条件で測定しても、被検眼の動き（眼球運動、拍動等）や装置の揺れなどにより再現性を確保することが困難であった。
【０００７】
この発明の目的は、血管の向きを推定する処理の効率化及び再現性の向上を図ることにある。
【課題を解決するための手段】
【０００８】
実施形態は、眼底血管の血流情報を取得する血流計測装置であって、データ取得部と、層領域特定部と、傾き算出部とを備える。データ取得部は、血管に沿う断面を含む眼底の領域を光コヒーレンストモグラフィを用いて走査することにより画像データを取得する。層領域特定部は、取得された画像データを解析することにより、この画像データ内の層領域を特定する。傾き算出部は、層領域と上記断面との共通領域の傾きを算出する。
【発明の効果】
【０００９】
この発明によれば、血管の向きを推定する処理の効率化及び再現性の向上を図ることができる。
【図面の簡単な説明】
【００１０】
【図１】実施形態に係る血流計測装置の構成の一例を表す概略図である。
【図２】実施形態に係る血流計測装置の構成の一例を表す概略図である。
【図３】実施形態に係る血流計測装置の構成の一例を表す概略図である。
【図４】実施形態に係る血流計測装置の構成の一例を表す概略図である。
【図５】実施形態に係る血流計測装置の動作の一例を説明するための概略図である。
【図６】実施形態に係る血流計測装置の動作の一例を説明するための概略図である。
【図７】実施形態に係る血流計測装置の動作の一例を説明するための概略図である。
【図８】実施形態に係る血流計測装置の動作の一例を説明するための概略図である。
【図９Ａ】実施形態に係る血流計測装置の動作の一例を説明するための概略図である。
【図９Ｂ】実施形態に係る血流計測装置の動作の一例を説明するための概略図である。
【図１０】実施形態に係る血流計測装置の動作の一例を表すフローチャートである。
【発明を実施するための形態】
【００１１】
実施形態に係る血流計測装置について図面を参照しながら詳細に説明する。実施形態に係る血流計測装置は、ＯＣＴを用いて生体眼の断層像や３次元画像を形成する。この明細書に記載の引用文献の内容を実施形態に援用することができる。
【００１２】
以下の実施形態では、フーリエドメインＯＣＴ（特にスペクトラルドメインＯＣＴ）を用いて眼底のＯＣＴを行う血流計測装置について説明する。なお、ＯＣＴのタイプはスペクトラルドメインには限定されず、例えばスウェプトソースＯＣＴであってよい。また、実施形態に係る血流計測装置はＯＣＴ装置と眼底カメラとの複合機であるが、眼底カメラ以外の眼底撮影装置、例えばＳＬＯ（Ｓｃａｎｎｉｎｇ  Ｌａｓｅｒ  Ｏｐｈｔｈａｌｍｏｓｃｏｐｅ）、スリットランプ、眼科手術用顕微鏡などにＯＣＴ装置を組み合わせてもよい。なお、血流計測装置は、ＯＣＴ機能を具備していれば十分であり、眼底撮影機能を備える必要はない。
【００１３】
［構成］
図１に示すように、血流計測装置１は、眼底カメラユニット２、ＯＣＴユニット１００及び演算制御ユニット２００を含む。眼底カメラユニット２は、従来の眼底カメラとほぼ同様の光学系を備える。ＯＣＴユニット１００は、眼底のＯＣＴ画像を取得するための光学系を備える。演算制御ユニット２００は、各種の演算や制御を実行するコンピュータを備える。
【００１４】
（眼底カメラユニット２）
図１に示す眼底カメラユニット２には、被検眼Ｅの眼底Ｅｆの表面形態を表す２次元画像（眼底像）を取得するための光学系が設けられている。眼底像には、観察画像や撮影画像などが含まれる。観察画像は、例えば、近赤外光を用いて所定のフレームレートで形成されるモノクロの動画像である。撮影画像は、例えば、可視光をフラッシュ発光して得られるカラー画像、又は近赤外光若しくは可視光を照明光として用いたモノクロの静止画像であってもよい。眼底カメラユニット２は、これら以外の画像、例えばフルオレセイン蛍光画像やインドシアニングリーン蛍光画像や自発蛍光画像などを取得可能に構成されていてもよい。
【００１５】
眼底カメラユニット２には、被検者の顔を支持するための顎受けや額当てが設けられている。更に、眼底カメラユニット２には、照明光学系１０と撮影光学系３０が設けられている。照明光学系１０は眼底Ｅｆに照明光を照射する。撮影光学系３０は、この照明光の眼底反射光を撮像装置（ＣＣＤイメージセンサ（単にＣＣＤと呼ぶことがある）３５、３８）に導く。また、撮影光学系３０は、ＯＣＴユニット１００からの測定光を眼底Ｅｆに導くとともに、眼底Ｅｆからの測定光の戻り光をＯＣＴユニット１００に導く。
【００１６】
照明光学系１０の観察光源１１は、例えばハロゲンランプ又はＬＥＤ（Ｌｉｇｈｔ  Ｅｍｉｔｔｉｎｇ  Ｄｉｏｄｅ）を含む。観察光源１１から出力された光（観察照明光）は、曲面状の反射面を有する反射ミラー１２により反射され、集光レンズ１３を経由し、可視カットフィルタ１４を透過して近赤外光となる。更に、観察照明光は、撮影光源１５の近傍にて一旦集束し、ミラー１６により反射され、リレーレンズ１７、１８、絞り１９及びリレーレンズ２０を経由する。そして、観察照明光は、孔開きミラー２１の周辺部（孔部の周囲の領域）にて反射され、ダイクロイックミラー４６を透過し、対物レンズ２２により屈折されて眼底Ｅｆを照明する。
【００１７】
観察照明光の眼底反射光は、対物レンズ２２により屈折され、ダイクロイックミラー４６を透過し、孔開きミラー２１の中心領域に形成された孔部を通過し、ダイクロイックミラー５５を透過し、合焦レンズ３１を経由し、ミラー３２により反射され、ハーフミラー４０を透過し、ダイクロイックミラー３３により反射され、集光レンズ３４によりＣＣＤイメージセンサ３５の受光面に結像される。ＣＣＤイメージセンサ３５は、所定のフレームレートで眼底反射光を検出する。表示装置３には、ＣＣＤイメージセンサ３５により検出された眼底反射光に基づく画像（観察画像）が表示される。なお、撮影光学系３０のピントが前眼部に合わせられている場合、被検眼Ｅの前眼部の観察画像が表示される。
【００１８】
撮影光源１５は、例えばキセノンランプ又はＬＥＤを含む。撮影光源１５から出力された光（撮影照明光）は、観察照明光と同様の経路を通って眼底Ｅｆに照射される。撮影照明光の眼底反射光は、観察照明光のそれと同様の経路を通ってダイクロイックミラー３３まで導かれ、ダイクロイックミラー３３を透過し、ミラー３６により反射され、集光レンズ３７によりＣＣＤイメージセンサ３８の受光面に結像される。表示装置３には、ＣＣＤイメージセンサ３８により検出された眼底反射光に基づく画像（撮影画像）が表示される。
【００１９】
ＬＣＤ（Ｌｉｑｕｉｄ  Ｃｒｙｓｔａｌ  Ｄｉｓｐｌａｙ）３９は、固視標や視力測定用指標を表示する。固視標は被検眼Ｅを固視させるための指標であり、眼底撮影時やＯＣＴ時などに使用される。ＬＣＤ３９の画面上における固視標の表示位置を変更することにより、被検眼Ｅの固視位置を変更できる。
【００２０】
ＬＣＤ３９から出力された光は、その一部がハーフミラー４０にて反射され、ミラー３２に反射され、合焦レンズ３１及びダイクロイックミラー５５を経由し、孔開きミラー２１の孔部を通過し、ダイクロイックミラー４６を透過し、対物レンズ２２により屈折されて眼底Ｅｆに投影される。
【００２１】
更に、眼底カメラユニット２には、従来の眼底カメラと同様にアライメント光学系５０とフォーカス光学系６０が設けられている。アライメント光学系５０は、被検眼Ｅに対する装置光学系の位置合わせ（アライメント）を行うための指標（アライメント指標）を生成する。フォーカス光学系６０は、眼底Ｅｆに対してフォーカス（ピント）を合わせるための指標（スプリット指標）を生成する。
【００２２】
アライメント光学系５０のＬＥＤ５１から出力された光（アライメント光）は、絞り５２、５３及びリレーレンズ５４を経由してダイクロイックミラー５５により反射され、孔開きミラー２１の孔部を通過し、ダイクロイックミラー４６を透過し、対物レンズ２２により被検眼Ｅに投影される。
【００２３】
アライメント光の戻り光はＣＣＤイメージセンサ３５により検出される。ＣＣＤイメージセンサ３５による受光像（アライメント指標像）は、観察画像とともに表示される。ユーザは、従来の眼底カメラと同様に、アライメント指標像を参照しつつアライメントを実施することができる。また、演算制御ユニット２００がアライメント指標像の位置を解析して光学系を移動させることによりアライメントを行うこともできる（オートアライメント機能）。
【００２４】
フォーカス調整を行う際には、照明光学系１０の光路上に反射棒６７の反射面が斜設される。フォーカス光学系６０のＬＥＤ６１から出力された光（フォーカス光）は、リレーレンズ６２を通過し、スプリット指標板６３により２つの光束に分離され、二孔絞り６４を通過し、ミラー６５に反射され、集光レンズ６６により反射棒６７の反射面に一旦結像されて反射される。更に、フォーカス光は、リレーレンズ２０を経由し、孔開きミラー２１に反射され、ダイクロイックミラー４６を透過し、対物レンズ２２により屈折されて眼底Ｅｆに投影される。
【００２５】
フォーカス光の戻り光はＣＣＤイメージセンサ３５により検出される。ＣＣＤイメージセンサ３５による受光像（スプリット指標像）は、観察画像及びアライメント指標像とともに表示される。演算制御ユニット２００は、従来と同様に、スプリット指標の位置を解析して合焦レンズ３１及びフォーカス光学系６０を移動させてピント合わせを行うことができる（オートフォーカス機能）。また、スプリット指標像の位置を参照しつつ手動でピント合わせを行ってもよい。
【００２６】
ダイクロイックミラー４６は、眼底撮影用の光路にＯＣＴ用の光路（ＯＣＴ光路）を合成する。つまり、眼底撮影用の光路とＯＣＴ光路とは、ダイクロイックミラー４６により同軸に構成され、ダイクロイックミラー４６よりも被検眼Ｅ側の光路を共有している。ダイクロイックミラー４６は、ＯＣＴに用いられる波長帯の光を反射し、眼底撮影用の光を透過させる。ＯＣＴ光路には、ＯＣＴユニット１００側から順に、コリメータレンズユニット４０と、光路長変更部４１と、ガルバノスキャナ４２と、合焦レンズ４３と、ミラー４４と、リレーレンズ４５とが設けられている。
【００２７】
光路長変更部４１は、図１に示す矢印の方向に移動可能とされ、ＯＣＴ光路の長さを変更する。この光路長の変更は、被検眼Ｅの眼軸長に応じた光路長の補正や、干渉状態の調整などに利用される。光路長変更部４１は、例えばコーナーキューブと、これを移動する機構とを含んで構成される。
【００２８】
ガルバノスキャナ４２は、ＯＣＴ光路を通過する測定光ＬＳの進行方向を変化させる。それにより、眼底Ｅｆを測定光ＬＳで走査することができる。ガルバノスキャナ４２は、例えば、測定光ＬＳをｘ方向に走査するガルバノミラーと、ｙ方向に走査するガルバノミラーと、これらを独立に駆動する機構とを含んで構成される。それにより、測定光ＬＳをｘｙ平面上の任意の方向に走査することができる。
【００２９】
（ＯＣＴユニット１００）
図２を参照しつつＯＣＴユニット１００の構成例を説明する。ＯＣＴユニット１００には、眼底ＥｆのＯＣＴ画像を取得するための光学系が設けられている。この光学系は、従来のスペクトラルドメインタイプのＯＣＴ装置と同様に、低コヒーレンス光を参照光と測定光に分割し、眼底Ｅｆを経由した測定光と参照光路を経由した参照光とを干渉させて干渉光を生成し、この干渉光のスペクトル成分を検出するよう構成されている。この検出結果（検出信号）は演算制御ユニット２００に送られる。
【００３０】
なお、スウェプトソースタイプのＯＣＴ装置が適用される場合、低コヒーレンス光源の代わりに波長掃引光源が設けられるとともに、スペクトル成分を検出するデバイス（分光器）の代わりにバランスドフォトダイオードが設けられる。一般に、ＯＣＴユニット１００は、ＯＣＴのタイプに応じた公知の構成を備えていてよい。
【００３１】
光源ユニット１０１は低コヒーレンス光Ｌ０（広帯域光）を出力する。低コヒーレンス光Ｌ０は、例えば、近赤外領域の波長帯（８００ｎｍ〜９００ｎｍ程度）を含み、数十マイクロメートル程度の時間的コヒーレンス長を有する。或いは、１０４０〜１０６０ｎｍの中心波長を有する近赤外光を低コヒーレンス光Ｌ０として用いてもよい。
【００３２】
光源ユニット１０１は、スーパールミネセントダイオード（Ｓｕｐｅｒ  Ｌｕｍｉｎｅｓｃｅｎｔ  Ｄｉｏｄｅ：ＳＬＤ）や、ＬＥＤや、ＳＯＡ（Ｓｅｍｉｃｏｎｄｕｃｔｏｒ  Ｏｐｔｉｃａｌ  Ａｍｐｌｉｆｉｅｒ）等の光出力デバイスを含んで構成される。
【００３３】
光源ユニット１０１から出力された低コヒーレンス光Ｌ０は、光ファイバ１０２によりファイバカプラ１０３に導かれて測定光ＬＳと参照光ＬＲに分割される。
【００３４】
参照光ＬＲは、光ファイバ１０４により導かれて光減衰器（アッテネータ）１０５に到達する。光減衰器１０５は、演算制御ユニット２００の制御の下、或いは手動操作により、光ファイバ１０４に導かれる参照光ＬＲの光量を変更する。光減衰器１０５により光量が調整された参照光ＬＲは、光ファイバ１０４により導かれて偏波調整器（偏波コントローラ）１０６に到達する。偏波調整器１０６は、光ファイバ１０４内を導かれる参照光ＬＲの偏光状態を変化させる。偏波調整器１０６により偏光状態が調整された参照光ＬＲは、ファイバカプラ１０９に到達する。
【００３５】
ファイバカプラ１０３により生成された測定光ＬＳは、光ファイバ１０７により導かれ、コリメータレンズユニット１０５により平行光束とされる。更に、測定光ＬＳは、光路長変更部４１、ガルバノスキャナ４２、合焦レンズ４３、ミラー４４、及びリレーレンズ４５を経由してダイクロイックミラー４６に到達する。そして、測定光ＬＳは、ダイクロイックミラー４６により反射され、対物レンズ１１により屈折されて被検眼Ｅに入射する。測定光ＬＳは、眼底Ｅｆの様々な深さ位置において反射・散乱される。眼底Ｅｆからの測定光ＬＳの戻り光（後方散乱光、反射光、蛍光等）は、往路と同じ経路を逆向きに進行してファイバカプラ１０３に導かれ、光ファイバ１０８を経由してファイバカプラ１０９に到達する。
【００３６】
ファイバカプラ１０９は、測定光ＬＳの戻り光と参照光ＬＲとを干渉させる。これにより干渉光ＬＣが生成される。干渉光ＬＣは、光ファイバ１１０により導かれて出射端１１１から出射される。更に、干渉光ＬＣは、コリメータレンズ１１２により平行光束とされ、回折格子１１３によりスペクトル分解され、集光レンズ１１４により集光されてＣＣＤイメージセンサ１１５の受光面に投影される。なお、図２に示す回折格子１１８は透過型であるが、例えば反射型の回折格子など、他の形態の分光素子を用いることも可能である。
【００３７】
ＣＣＤイメージセンサ１１５は、例えばラインセンサであり、干渉光ＬＣの各スペクトル成分を検出して電荷に変換する。ＣＣＤイメージセンサ１１５は、この電荷を蓄積して検出信号を生成し、これを演算制御ユニット２００に送る。なお、ＣＣＤイメージセンサに代えて、他のイメージセンサ、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサを用いてよい。
【００３８】
（演算制御ユニット２００）
演算制御ユニット２００は、ＣＣＤイメージセンサ１１５から入力される検出信号を解析して眼底ＥｆのＯＣＴ画像を形成する。そのための演算処理は、従来のスペクトラルドメインＯＣＴと同様である。
【００３９】
また、演算制御ユニット２００は、眼底カメラユニット２、表示装置３及びＯＣＴユニット１００を制御する。眼底カメラユニット２の制御には、観察光源１１、撮影光源１５、ＬＣＤ３９、ガルバノスキャナ４２、並びにＬＥＤ５１及び６１のそれぞれの動作制御や、合焦レンズ３１及び４３、光路長変更部４１、フォーカス光学系６０、並びに反射棒６７、のそれぞれの移動制御などがある。ＯＣＴユニット１００の制御には、光源ユニット１０１、光減衰器１０５、偏波調整器１０６、及びＣＣＤイメージセンサ１２０のそれぞれの動作制御などがある。
【００４０】
演算制御ユニット２００は、プロセッサ、ＲＡＭ、ＲＯＭ、ハードディスクドライブ、通信インターフェイスなどを含む。また、演算制御ユニット２００は、キーボードやマウス等の操作デバイス（入力デバイス）や、ＬＣＤ等の表示デバイスを備えていてもよい。なお、本明細書において「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。演算制御ユニット２００は、例えば、記憶回路や記憶装置に格納されているプログラムを読み出し実行することで、実施形態に係る機能を実現する。
【００４１】
［制御系］
血流計測装置１の制御系の構成について図３及び図４を参照しつつ説明する。
【００４２】
（制御部２１０）
制御部２１０は、例えば、前述のプロセッサ、ＲＡＭ、ＲＯＭ、ハードディスクドライブ、通信インターフェイス等を含む。制御部２１０には、主制御部２１１と記憶部２１２が設けられている。記憶部２１２は、各種のデータやコンピュータプログラムを記憶する。
【００４３】
主制御部２１１は各種制御を行う。例えば、図３に示すように、主制御部２１１は、眼底カメラユニット２のＣＣＤ３５及び３８、合焦駆動部３１Ａ、光路長変更部４１、ガルバノスキャナ４２、並びに合焦駆動部４３Ａの制御を行う。更に、主制御部２１１は、ＯＣＴユニット１００の光源ユニット１０１、光減衰器１０５、偏波調整器１０６及びＣＣＤ１１５の制御を行う。
【００４４】
合焦駆動部３１Ａは、合焦レンズ３１を光軸方向に移動させる。それにより、撮影光学系３０の合焦位置が変化する。また、合焦駆動部４３Ａは、合焦レンズ４３を光軸方向に移動させる。それにより、測定光ＬＳの合焦位置（ＯＣＴ計測の合焦位置）が変化する。主制御部２１１は、図示しない光学系駆動部を制御して、眼底カメラユニット２に設けられた光学系を３次元的に移動することができる。この光学系の移動制御は、アライメントやトラッキングにおいて用いられる。トラッキングとは、被検眼Ｅの眼球運動に合わせて装置光学系を移動する処理である。トラッキングの前にはアライメントとフォーカス調整が実行される。トラッキングは、装置光学系の位置を眼球運動に追従させることにより、アライメントとピントが合った状態を維持する機能である。
【００４５】
（画像形成部２２０）
画像形成部２２０は、ＣＣＤイメージセンサ１１５からの検出信号に基づいて、眼底Ｅｆの断層像の画像データと位相画像の画像データとを形成する。画像形成部２２０はプロセッサを含む。なお、この明細書では、「画像データ」と、それに基づく「画像」とを同一視することがある。画像形成部２２０は、断層像形成部２２１と位相画像形成部２２２を有する。
【００４６】
この実施形態では、眼底Ｅｆに対して２種類の走査（第１走査及び第２走査）を行う。第１走査では、眼底Ｅｆの注目血管に交差する２以上の断面を測定光ＬＳで走査する。第２走査は、この注目血管に交差する注目断面を測定光ＬＳで反復的に走査する。第１走査が行われる断面は、注目断面の近傍に配置される。第１走査により取得されたデータは、注目断面における注目血管の傾き（向き）を求めるために用いられる。第２走査は、ＯＣＴを用いたドップラー計測である。
【００４７】
第１走査及び第２走査の対象断面は、ｘｙ平面において、注目血管の走行方向に対して直交するように向き付けられることが望ましい。図５の眼底像Ｄに示すように、この実施形態では、例えば、視神経乳頭Ｄａの近傍に、第１走査が行われる２つの断面Ｃ１１及びＣ１２と、第２走査が行われる注目断面Ｃ２とが注目血管Ｄｂに交差するように設定される。２つの断面Ｃ１１及びＣ１２の一方は注目断面Ｃ２に対して注目血管Ｄｂの上流側に位置し、他方は下流側に位置する。注目断面Ｃ２に対する各断面Ｃ１１及びＣ１２の距離（断面間距離）は、事前に決定される。その一例は、断面設定部２３１の説明において後述される。
【００４８】
第２走査は、患者の心臓の少なくとも１心周期の間にわたって実行されることが望ましい。それにより、心臓の全ての時相における血流情報が得られる。第２走査の実行時間は、あらかじめ設定された一定の時間であってもよいし、患者ごとに又は検査毎に設定された時間であってもよい。
【００４９】
（断層像形成部２２１）
断層像形成部２２１は、断面Ｃ１１及びＣ１２に対する第１走査により得られた干渉光ＬＣの検出結果に基づいて、断面Ｃ１１の形態を表す断層像と、断面Ｃ１２の形態を表す断層像とを形成する。このとき、断面Ｃ１１を１回走査して１枚の断層像を形成し、かつ、断面Ｃ１２を１回走査して１枚の断層像を形成することができる。或いは、断面Ｃ１１を複数回走査して得られた複数の断層像に基づき１枚の断層像を取得し、かつ、断面Ｃ１２を複数回走査して得られた複数の断層像に基づき１枚の断層像を取得することができる。複数の断層像から１枚の断層像を取得する処理の例として、複数の断層像を平均して画質向上を図る処理や、複数の断層像から最適な１枚を選択する処理がある。
【００５０】
また、断層像形成部２２１は、注目断面Ｃ２に対する第２走査により得られた干渉光ＬＣの検出結果に基づいて、注目断面Ｃ２の形態の時系列変化を表す断層像群を形成する。この処理についてより詳しく説明する。第２走査では、上記のように注目断面Ｃ２が繰り返し走査される。断層像形成部２２１には、第２走査に応じて、ＯＣＴユニット１００のＣＣＤ１１５から検出信号が逐次入力される。断層像形成部２２１は、注目断面Ｃ２の１回分の走査に対応する検出信号群に基づいて、注目断面Ｃ２の１枚の断層像を形成する。断層像形成部２２１は、この処理を第２走査の反復回数だけ繰り返すことで、時系列に沿った一連の断層像を形成する。ここで、これら断層像を複数の群に分割し、各群の断層像を平均して画質の向上を図ってもよい。
【００５１】
この実施形態では、注目血管及び注目断面を設定するための走査が行われる（以下、予備走査と呼ぶ）。詳細については後述するが、予備走査は、指定された血管（候補血管）が血流計測に好適な向きに配置されているか判定するために行われる。断層像形成部２２１は、予備走査により取得された干渉光ＬＣの検出結果に基づいて画像データを形成する。
【００５２】
断層像形成部２２１が実行する処理は、従来のスペクトラルドメインＯＣＴと同様に、ノイズ除去（ノイズ低減）、フィルタ処理、ＦＦＴ（Ｆａｓｔ  Ｆｏｕｒｉｅｒ  Ｔｒａｎｓｆｏｒｍ）などを含む。他のタイプのＯＣＴが適用される場合、断層像形成部２２１は、そのタイプに応じた公知の処理を実行する。
【００５３】
（位相画像形成部２２２）
位相画像形成部２２２は、注目断面Ｃ２に対する第２走査により得られた干渉光ＬＳの検出結果に基づいて、注目断面Ｃ２における位相差の時系列変化を表す位相画像を形成する。この処理に用いられるデータは、断層像形成部２２１が注目断面Ｃ２の断層像を形成するために用いられるデータと同じである。よって、注目断面Ｃ２の断層像と位相画像とを位置合わせすることができる。つまり、注目断面Ｃ２の断層像の画素と位相画像の画素とを自然に対応付けることが可能である。
【００５４】
位相画像の形成方法の例を説明する。この例の位相画像は、隣り合うＡライン複素信号（隣接する走査点に対応する信号）の位相差を算出することにより得られる。換言すると、この例の位相画像は、注目断面Ｃ２の断層像の各画素について、その画素の画素値（輝度値）の時系列変化に基づき形成される。任意の画素について、位相画像形成部２２２は、その輝度値の時系列変化のグラフを考慮する。位相画像形成部２２２は、このグラフにおいて所定の時間間隔Δｔだけ離れた２つの時点ｔ１及びｔ２（ｔ２＝ｔ１＋Δｔ）の間における位相差Δφを求める。そして、この位相差Δφを時点ｔ１（より一般に２つの時点ｔ１及びｔ２の間の任意の時点）における位相差Δφ（ｔ１）として定義する。あらかじめ設定された多数の時点のそれぞれについてこの処理を実行することで、当該画素における位相差の時系列変化が得られる。
【００５５】
位相画像は、各画素の各時点における位相差の値を画像として表現したものである。この画像化処理は、例えば、位相差の値を表示色や輝度で表現することで実現できる。このとき、時系列に沿って位相が増加したことを表す色（例えば赤）と、減少したことを表す色（例えば青）とを違えることができる。また、位相の変化量の大きさを表示色の濃さで表現することもできる。このような表現方法を採用することで、血流の向きや大きさを色や濃度で提示することが可能となる。以上の処理を各画素について実行することにより位相画像が形成される。
【００５６】
なお、位相差の時系列変化は、上記の時間間隔Δｔを十分に小さくして位相の相関を確保することにより得られる。このとき、測定光ＬＳの走査において断層像の分解能に相当する時間未満の値に時間間隔Δｔを設定したオーバーサンプリングが実行される。
【００５７】
（データ処理部２３０）
データ処理部２３０は、各種のデータ処理を実行する。例えば、データ処理部２３０は、画像形成部２２０により形成された画像に対して画像処理や解析処理を施す。その具体例として、輝度補正や分散補正等の各種補正処理がある。また、データ処理部２３０は、眼底カメラユニット２により得られた画像（眼底像、前眼部像等）に対して画像処理や解析処理を施す。
【００５８】
データ処理部２３０は、断面設定部２３１と、層領域特定部２３２と、血管領域特定部２３３と、傾き算出部２３４と、血流情報生成部２３５とを備える。血流情報生成部２３５には、血流速度算出部２３５１と、血管径算出部２３５２と、血流量算出部２３５３とが設けられている。
【００５９】
（断面設定部２３１）
主制御部２１１は、表示部２４１に眼底像を表示させる。この眼底像は観察画像でも撮影画像でもよい。また、この眼底像は撮影画像を構成する画像であってもよい。ユーザは、操作部２４２を操作することで、表示された眼底像に、走査の対象となる注目断面を指定する。指定される注目断面は、第２走査の対象となる注目断面Ｃ２、又は予備走査の対象となる注目断面である。
【００６０】
第２走査の対象となる注目断面Ｃ２が指定された場合、断面設定部２３１は、指定された注目断面Ｃ２と眼底像とに基づいて、第１走査が適用される２つの断面Ｃ１１及びＣ１２を設定する。なお、前述のように、注目断面Ｃ２は所望の注目血管Ｄｂを横切るように指定される。
【００６１】
予備走査の対象となる注目断面が（注目血管に直交するように）指定された場合、断面設定部２３１は、指定された注目断面に直交するように、注目血管に沿う断面を設定する。予備走査の対象となる領域は、このように設定された断面（２次元領域）のみを含んでもよいし、当該断面を含む３次元領域であってよい。
【００６２】
第２走査又は予備走査のための注目断面を眼底像に指定するための操作は、例えばポインティングデバイスを用いて行われる。また、表示部２４１がタッチパネルの場合、ユーザは、表示された眼底像の所望の位置に対するタッチ操作により注目断面の指定を行う。なお、注目断面のパラメータ（向き、長さ等）は、手動又は自動で設定される。
【００６３】
手動の場合の例として、パラメータを設定するためのインターフェイスを用いることができる。このインターフェイスは、スイッチ等のハードウェアでもよいし、グラフィカルユーザインターフェイス（ＧＵＩ）等のソフトウェアでもよい。
【００６４】
自動の場合の例として、断面設定部２３１は、ユーザが眼底像に指定した位置に基づいてパラメータを設定することができる。長さの自動設定は、あらかじめ決められた値を適用してもよいし、指定位置及びその近傍の血管の位置を考慮してもよい。前者の値は、例えば、所定の注目血管とその近傍の血管との間の一般的な距離に基づいて指定される。この距離の情報は、臨床データに基づいて生成できる。後者の場合も同様である。
【００６５】
注目断面の向きの自動設定については、あらかじめ決められた向きを適用してもよいし、注目血管の向きを考慮してもよい。前者の場合、注目血管の各位置における傾きを表す情報をあらかじめ生成し、これを参照する。この情報は、臨床データに基づき生成できる。後者の場合、指定位置における注目血管の走行方向を求め、この走行方向に基づいて設定される。この走行方向を求める処理は、例えば注目血管の細線化処理を用いて行われる。なお、いずれの場合においても、注目断面の向きは、ｘｙ平面において、走行方向に直交するように設定されることが望ましい。
【００６６】
次に、第１走査が適用される断面Ｃ１１及びＣ１２を設定する処理について説明する。断面設定部２３１は、第２走査が適用される注目断面Ｃ２から所定距離だけ離れた位置にこれら断面Ｃ１１及びＣ１２を設定する。この距離は、例えば１００μｍに設定される。この距離の特定は、例えば前述のようにして行われる。また、これら断面Ｃ１１及びＣ１２の長さ及び／又は向きは、注目断面Ｃ２の場合と同様にして設定される。
【００６７】
（層領域特定部２３２）
層領域特定部２３２は、予備走査（又は第１走査）により取得された干渉光ＬＣの検出結果に基づく画像データを解析することにより、この画像データ内の層領域を特定する。層領域は、例えば、眼底Ｅｆの任意の組織に相当する画像領域、又は隣接する組織の境界に相当する画像領域である。例えば、層領域は、網膜を構成する組織に相当する画像領域であってよい。その具体例として、内境界膜（ＩＬＭ）がある。
【００６８】
層領域を特定する処理はセグメンテーションと呼ばれる。セグメンテーションは、２次元断層像又は３次元画像の画素値（輝度値）に基づいて行われる。眼底Ｅｆの層組織はそれぞれ特徴的な反射率を有し、その層組織の画像領域も特徴的な輝度値を有する。セグメンテーションにおいては、そのような特徴的な輝度値に基づいて目的の画像領域が特定される。
【００６９】
（血管領域特定部２３３）
血管領域特定部２３３は、断層像形成部２２１により形成された断層像（画像データ）において、注目血管に対応する血管領域を特定する。更に、血管領域特定部２３３は、位相画像形成部２２２により形成された位相画像において、注目血管に対応する血管領域を特定する。血管領域の特定は、各画像の画素値を解析することにより行われる（例えば閾値処理）。なお、位相画像については、例えば、注目断面の断層像内の血管領域を参照して位相画像の血管領域を特定するようにしてよい。
【００７０】
（傾き算出部２３４）
傾き算出部２３４は、第１走査により取得されたデータに基づいて注目断面Ｃ２における注目血管Ｄｂの傾きを算出する。このとき、第２走査により得られたデータを更に用いることも可能である。傾き算出部２３４は、断面間距離と血管領域の特定結果とに基づいて、注目断面Ｃ２における注目血管Ｄｂの傾きを算出する。断面間距離は、断面Ｃ１１と断面Ｃ１２との間の距離を含んでよい。また、断面間距離は、断面Ｃ１１と注目断面Ｃ２との間の距離と、断面Ｃ１２と注目断面Ｃ２との間の距離とを含んでよい。
【００７１】
注目血管Ｄｂの傾きの算出方法の例を、図６を参照しつつ説明する。断層像Ｇ１１及びＧ１２は、それぞれ、第１走査が適用される断面Ｃ１１を表す断層像及び断面Ｃ１２を表す断層像である。また、断層像Ｇ２は、第２走査が適用される注目断面Ｃ２を表す断層像である。符号Ｖ１１、Ｖ１２及びＶ２は、それぞれ、断層像Ｇ１１内の血管領域、断層像Ｇ１２内の血管領域、及び断層像Ｇ２内の血管領域を示す。なお、これら血管領域は注目血管Ｄｂの断面に相当する。図６において、ｚ座標軸は紙面下方向を向いており、これは測定光ＬＳの照射方向（測定光ＬＳの光路の光軸）と実質的に一致するものとする。また、隣接する断層像（断面）の間隔をＬとする。
【００７２】
１つの例において、傾き算出部２３４は、３つの血管領域Ｖ１１、Ｖ１２及びＶ２の位置関係に基づいて、注目断面Ｃ２における注目血管Ｄｂの傾きＡを算出する。この位置関係は、例えば、３つの血管領域Ｖ１１、Ｖ１２及びＶ２を結ぶことによって得られる。具体的には、傾き算出部２３４は、３つの血管領域Ｖ１１、Ｖ１２及びＶ２のそれぞれの特徴点を特定し、これら特徴点を結ぶ。この特徴点としては、中心位置、重心位置、最上部（ｚ座標値が最小の位置）、最下部（ｚ座標値が最大の位置）などがある。また、これら特徴点の結び方としては、線分で結ぶ方法、近似曲線（スプライン曲線、ベジェ曲線等）で結ぶ方法などがある。
【００７３】
更に、傾き算出部２３４は、これら特徴点を結ぶ線に基づいて傾きＡを算出する。線分が用いられる場合、例えば、注目断面Ｃ２内の血管領域Ｖ２の特徴点と断面Ｃ１１内の血管領域Ｖ１１の特徴点とを結ぶ第１線分の傾きと、血管領域Ｖ２の当該特徴点と断面Ｃ１２内の血管領域Ｖ１２の特徴点とを結ぶ第２線分の傾きとに基づいて、傾きＡが算出される。この算出処理の例として、２つの線分の傾きの平均値を求めることができる。また、近似曲線で結ぶ場合の例として、近似曲線と注目断面Ｃ２との交差位置における近似曲線の傾きを求めることができる。なお、断面間距離Ｌは、線分や近似曲線を求める処理において、これら断層像Ｇ１１、Ｇ１２及びＧ２をｘｙｚ座標系に埋め込むときに用いられる。
【００７４】
この例では、３つの断面における血管領域を考慮しているが、２つの断面の血管領域を考慮して傾きを求めることも可能である。具体例として、断面Ｃ１１内の血管領域Ｖ１１と断面Ｃ１２内の血管領域Ｖ１２とに基づいて、注目断面Ｃ２における注目血管Ｄｂの傾きＡを求めるよう構成できる。或いは、上記第１線分又は第２線分の傾きを傾きＡとして用いることも可能である。
【００７５】
血管の傾きを求めるための他の処理について説明する。この例は少なくとも予備走査により取得された画像データに適用され、更に第１走査により取得された画像データに適用されてもよい。前述のように、予備走査では、候補血管に沿う断面（２次元領域）又は当該断面を含む３次元領域に対してＯＣＴが行われる。
【００７６】
図７は、予備走査（又は第１走査）において適用される断面の例を表す。ユーザ又は血流計測装置１は、候補血管３００に注目断面３１０を指定する。注目断面３１０は、その断面位置において候補血管３００に実質的に直交するように指定される。断面設定部２３１は、指定された注目断面３１０に直交するように断面３２０を設定する。断面３２０は、候補血管３００に沿うように設定される。
【００７７】
断面３２０の設定は、例えば、注目断面３１０の位置に基づき実行される。具体例として、注目断面３１０は、その中心が候補血管３００上に配置されるように指定される。断面設定部２３１は、候補血管３１０の中心を通過し、かつ注目断面３１０に直交するように、予備走査のための断面３２０を設定する。ここで、断面３２０の長さは、既定値（デフォルト値）であってよい。或いは、断面３２０の長さをユーザが設定できるようにしてよい。或いは、候補血管３００の屈曲状態や径などに基づいて、血流計測装置１が断面３２０の長さを設定するよう構成することもできる。また、断面３２０は、その中心と注目断面３１０の中心とが一致するように設定される。
【００７８】
他の例として、断面３２０の設定は、候補血管３００を解析して実行される。具体例として、断面設定部２３１は、候補血管３００の軸線を求め、この軸線と注目断面３１０との交点を求め、この交点を通過しかつ注目断面３１０に直交するように断面３２０を設定する。
【００７９】
このような断面３２０をＯＣＴスキャンして得られた断層像の例を図８に示す。断層像４００は、眼底Ｅｆの様々な層を描出している。層領域特定部２３２は、断層像４００（画像データ）のセグメンテーションを行うことにより、被検眼Ｅの所定の組織に相当する画像領域（層領域）を特定する。図８に示す例では、内境界膜に相当する層領域（ＩＬＭ領域）４１０が特定される。内境界膜は、網膜と硝子体との境界を規定する網膜の組織であり、比較的明瞭に描出される。
【００８０】
傾き算出部２３４は、層領域特定部２３２により特定された層領域の形状を近似する線分を求める。この近似線分を求める方法は任意である。その例を以下に２つ説明する。第１の方法では、傾き算出部２３４は、図９Ａに示すように、ＩＬＭ領域４１０の両端４１０ａ及び４１０ｂを結ぶ線分４２０を近似線分として求めることができる。なお、近似線分の算出に用いられる特徴点は層領域の両端の点に限定されない。例えば、層領域においてｚ座標値が最大の点と最小の点、層領域の近似曲線の極大値や極小値に相当する点、この近似曲線の変曲点などを用いることが可能である。
【００８１】
第２の方法では、傾き算出部２３４は、図９Ｂに示すように、ＩＬＭ領域４１０（それを表すグラフ等）に最小二乗法を適用することにより線分４３０を求め、この線分４３０を近似線分として採用することができる。
【００８２】
なお、本例では、候補血管に沿う単一の断面（３２０）を考慮する場合について説明したが、前述したように、この断面（３２０）を含む眼底Ｅｆの３次元領域をＯＣＴでスキャンすることが可能である。この場合、スキャンされた３次元領域を表す画像データ（ボリュームデータ又はスタックデータ）が得られる。このような３次元画像データが得られた場合、層領域特定部２３２は、所定の組織（ＩＬＭ等）に相当する２次元領域又は３次元領域を層領域として特定する。傾き算出部２３４は、この２次元又は３次元の層領域と上記断面（３２０）との共通領域を求める。このとき、傾き算出部２３４は、層領域の一部（例えば上面又は下面）と上記断面（３２０）との共通領域を求めるようにしてもよい。更に、傾き算出部２３４は、この共通領域の形状を近似する線分を求めることができる。なお、候補血管に沿う単一の断面のみが設定された場合、当該断面内の層領域の傾き（つまり層領域の近似線分の傾き）が、当該層領域と当該断面との共通領域の傾き（つまり当該共通領域の近似線分の傾き）に相当する。
【００８３】
上記のようにして得られる近似線分の傾きは、例えば、ｚ座標軸に対する角度として、又は、ｘｙ平面（つまりｚ座標軸に直交する平面）に対する角度として表現される。
【００８４】
（血流情報生成部２３５）
血流情報生成部２３５は、眼底ＥｆのＯＣＴ計測により取得されたデータに基づいて、被検眼Ｅの血流情報を生成する。より具体的には、血流情報生成部２３５は、第２走査（ドップラーＯＣＴ）により取得されたデータ（位相画像）と、傾き算出部２３４により算出された注目断面Ｃ２における注目血管Ｄｂの傾きとに基づいて、注目血管Ｄｂに関する血流情報を生成する。前述のように、血流情報生成部２３５には、血流速度算出部２３５１と、血管径算出部２３５２と、血流量算出部２３５３とが設けられている。
【００８５】
（血流速度算出部２３５１）
血流速度算出部２３５１は、位相画像として得られる位相差の時系列変化に基づいて、注目血管Ｄｂ内を流れる血液の注目断面Ｃ２における血流速度を算出する。この算出対象は、或る時点における血流速度でもよいし、この血流速度の時系列変化（血流速度変化情報）でもよい。前者の場合、例えば心電図の所定の時相（例えばＲ波の時相）における血流速度を選択的に取得することが可能である。また、後者における時間の範囲は、注目断面Ｃ２を走査した時間の全体又は任意の一部である。
【００８６】
血流速度変化情報が得られた場合、血流速度算出部２３５１は、当該時間の範囲における血流速度の統計値を算出することができる。この統計値としては、平均値、標準偏差、分散、中央値、最大値、最小値、極大値、極小値などがある。また、血流速度の値についてのヒストグラムを作成することもできる。
【００８７】
血流速度算出部２３５１は、前述のようにドップラーＯＣＴの手法を用いて血流速度を算出する。このとき、傾き算出部２３４により算出された注目断面Ｃ２における注目血管Ｄｂの傾きＡが考慮される。具体的には、傾き算出部２３４は次式を用いる。
【００８８】
【数１】
0006502790.tif 000002
【００８９】
ここで：
Δｆは、測定光ＬＳの散乱光が受けるドップラーシフトを表す；
ｎは、媒質（血液）の屈折率を表す；
ｖは、媒質の流速（血流速度）を表す；
θは、測定光ＬＳの入射方向と媒質の流れの方向（傾きＡ）とが成す角度を表す；
λは、測定光ＬＳの中心波長を表す。
【００９０】
この実施形態では、ｎとλは既知であり、Δｆは位相差の時系列変化から得られ、θは傾きＡから得られる（又はθは傾きＡとして得られる）。これらの値を式（１）に代入することにより、血流速度ｖが算出される。
【００９１】
（血管径算出部２３５２）
血管径算出部２３５２は、注目断面Ｃ２における注目血管Ｄｂの径を算出する。この算出方法の例として、眼底像を用いた第１の算出方法と、断層像を用いた第２の算出方法がある。
【００９２】
第１の算出方法が適用される場合、注目断面Ｃ２の位置を含む眼底Ｅｆの部位の撮影があらかじめ行われる。それにより得られる眼底像は、観察画像（のフレーム）でもよいし、撮影画像でもよい。撮影画像がカラー画像である場合には、これを構成する画像（例えばレッドフリー画像）を用いてもよい。
【００９３】
血管径算出部２３５２は、撮影画角（撮影倍率）、ワーキングディスタンス、眼球光学系の情報など、画像上のスケールと実空間でのスケールとの関係を決定する各種ファクターに基づいて、眼底像におけるスケールを設定する。このスケールは実空間における長さを表す。具体例として、このスケールは、隣接する画素の間隔と、実空間におけるスケールとを対応付けたものである（例えば画素の間隔＝１０μｍ）。なお、上記ファクターの様々な値と、実空間でのスケールとの関係をあらかじめ算出し、この関係をテーブル形式やグラフ形式で表現した情報を記憶しておくことも可能である。この場合、血管径算出部２３５２は、上記ファクターに対応するスケールを選択的に適用する。
【００９４】
更に、血管径算出部２３５２は、このスケールと血管領域Ｖ２に含まれる画素とに基づいて、注目断面Ｃ２における注目血管Ｄｂの径、つまり血管領域Ｖ２の径を算出する。具体例として、血管径算出部２３５２は、血管領域Ｖ２の様々な方向の径の最大値や平均値を求める。また、血管領域２３５は、血管領域Ｖ２の輪郭を円近似又は楕円近似し、その円又は楕円の径を求めることができる。なお、血管径が決まれば血管領域Ｖ２の面積を（実質的に）決定することができるので、血管径を求める代わりに当該面積を算出するようにしてもよい。
【００９５】
第２の算出方法について説明する。第２の算出方法では、注目断面Ｃ２における眼底Ｅｆの断層像が用いられる。この断層像は、第２走査に基づく断層像でもよいし、これとは別に取得されたものでもよい。この断層像におけるスケールは、測定光ＬＳの走査態様に応じて決定される。図５に示すように注目断面Ｃ２を走査する場合、注目断面Ｃ２の長さは、ワーキングディスタンス、眼球光学系の情報など、画像上のスケールと実空間でのスケールとの関係を決定する各種ファクターに基づいて決定される。血管径算出部２３５２は、例えば、この長さに基づいて隣接する画素の間隔を求め、第１の算出方法と同様にして注目断面Ｃ２における注目血管Ｄｂの径を算出する。
【００９６】
（血流量算出部２３５３）
血流量算出部２３５３は、血流速度の算出結果と血管径の算出結果とに基づいて、注目血管Ｄｂ内を流れる血液の流量を算出する。この処理の一例を以下に説明する。
【００９７】
血管内における血流がハーゲン・ポアズイユ流（Ｈａｇｅｎ−Ｐｏｉｓｅｕｉｌｌｅ  ｆｌｏｗ）と仮定する。また、血管径をｗとし、血流速度の最大値をＶｍとすると、血流量Ｑは次式で表される。
【００９８】
【数２】
0006502790.tif 000003
【００９９】
血流量算出部２３５３は、血管径算出部２３５２による血管径の算出結果ｗと、血流速度算出部２３５１による血流速度の算出結果に基づく最大値Ｖｍとを式（４）に代入することにより、血流量Ｑを算出する。
【０１００】
以上のように機能するデータ処理部２３０は、例えば、プロセッサ、ＲＡＭ、ＲＯＭ、ハードディスクドライブ、回路基板等を含んで構成される。ハードディスクドライブ等の記憶装置には、上記機能をプロセッサに実行させるコンピュータプログラムがあらかじめ格納されている。
【０１０１】
（ユーザインターフェイス２４０）
ユーザインターフェイス２４０には、表示部２４１と操作部２４２とが含まれる。表示部２４１は、演算制御ユニット２００の表示デバイスや表示装置３を含む。操作部２４２は、演算制御ユニット２００の操作デバイスを含む。ユーザインターフェイス２４０は、例えばタッチパネルのように、表示機能と操作機能とを備えるデバイスを含んでよい。
【０１０２】
［動作］
血流計測装置１の動作について説明する。図１０は、血流計測装置１の動作の一例を表す。
【０１０３】
（Ｓ１：患者の選択）
まず、血流計測の対象となる患者を選択する。患者の選択は、例えば患者ＩＤを入力することにより行われる。
【０１０４】
（Ｓ２：撮影位置の指定）
ユーザは、装置光学系の位置を調整するなどして被検眼Ｅの撮影を行う位置を指定する。
【０１０５】
（Ｓ３：アライメント）
次に、被検眼Ｅに対する装置光学系の位置合わせ（アライメント）が行われる。アライメントは、例えばアライメント指標を用いて行われる。或いは、本出願人による特開２０１３−２４８３７６号公報に記載された２以上の前眼部カメラが設けられている場合、前眼部を異なる方向から実質的に同時に撮影して得られる２以上の画像に基づいてアライメントを行うことができる。本ステップにおいて、フォーカス調整等を更に行ってもよい。
【０１０６】
（Ｓ４：候補血管及び注目断面の指定）
続いて、ユーザは、表示部２４１に表示される眼底Ｅｆの画像（例えば観察画像又は撮影画像）を観察し、血流計測の対象となる血管の候補（候補血管）と、その注目断面を決定し、ユーザインターフェイス２４０を用いてこれらを指定する。或いは、制御部２１０及びデータ処理部２３０は、眼底Ｅｆの画像を解析し、所定の条件に基づいて候補血管及び注目断面を指定する。この条件は、例えば、視神経乳頭からの距離、血管の太さ、他の血管との位置関係などがある。
【０１０７】
（Ｓ５：断面の設定）
断面設定部２３１は、ステップＳ４で指定された候補血管（３００）及び注目断面（３１０）に基づいて、予備走査のための断面（３２０）を設定する。
【０１０８】
（Ｓ６：予備走査）
血流計測装置１は、ステップＳ５で設定された断面（３２０）に対して予備走査を行う。予備走査は、例えば、この断面（３２０）を１回走査するように実行され、それにより収集されたデータから１枚の断層像（４００）が形成される。或いは、予備走査は、この断面（３２０）を複数回走査するように実行され、それにより収集されたデータから複数枚の断層像が形成され、これら断層像を平均して１枚の断層像（４００）が形成される。
【０１０９】
（Ｓ７：層領域の特定）
層領域特定部２３２は、ステップＳ６の予備走査により得られた断層像（４００）を解析することにより層領域（ＩＬＭ領域４１０）を特定する。
【０１１０】
（Ｓ８：候補血管の傾きの算出）
傾き算出部２３４は、ステップＳ７で特定された層領域（ＩＬＭ領域４１０）の傾きを算出する。層領域の傾きの算出結果は、ステップＳ４で指定された注目断面（３１０）における候補血管（３００）の傾きの推定値として用いられる。
【０１１１】
（Ｓ９：傾きの適否判定）
ユーザ又は血流計測装置１は、ステップＳ８で算出された候補血管（３００）の傾きが所定の許容範囲に含まれるか判定する。この許容範囲は、例えば、ｚ座標軸と候補血管（３００）の向きとが成す角度の許容範囲として設定される。ｚ座標軸と候補血管（３００）の向きとが成す角度は、測定光ＬＳの入射方向と媒質の流れの方向（傾きＡ）とが成す角度θの近似値（推定値）である。許容範囲は、例えば、８０度を含む範囲であって１０度程度の幅を有するように設定される。
【０１１２】
ユーザが上記判定を行う場合、主制御部２１１は、ステップＳ８で算出された候補血管（３００）の傾きの値を表示部２４１に表示させる。このとき、許容範囲を表す情報も表示させてよい。ユーザは、ユーザインターフェイス２４０を用いて判定結果を入力する。血流計測装置１が上記判定を行う場合、主制御部２１１（又はデータ処理部２３０）は、記憶部２１２等にあらかじめ記憶された許容範囲を表す情報を参照し、ステップＳ８で算出された候補血管（３００）の傾きが許容範囲に含まれるか判定する。
【０１１３】
（Ｓ１０：許容範囲内？）
ステップＳ８で算出された候補血管（３００）の傾きが許容範囲に含まれないと判定された場合（Ｓ１０：Ｎｏ）、ステップＳ４からの処理が再度実行される。なお、所定回数目のステップＳ９において「Ｎｏ」と判定されたことに対応して、ステップＳ４以降の処理の少なくとも一部を変更するように構成してよい。例えば、ステップＳ４の処理を自動処理から手動処理に切り替えることができる。
【０１１４】
一方、ステップＳ８で算出された候補血管（３００）の傾きが許容範囲に含まれると判定された場合（Ｓ１０：Ｙｅｓ）、処理はステップＳ１１に移行する。
【０１１５】
（Ｓ１１：第１走査用断面の設定）
ステップＳ１０で「Ｙｅｓ」と判定された場合、血流計測装置１は、ステップＳ４で指定された候補血管（３００）及び注目断面（３１０）をそれぞれ注目血管Ｄｂ及び注目断面Ｃ２として採用する。更に、断面設定部２３１は、ここで採用された注目血管Ｄｂ及び注目断面Ｃ２に基づいて、第１走査のための２つの断面Ｃ１１及びＣ１２を設定する。
【０１１６】
（Ｓ１２：第１走査）
血流計測装置１は、ステップＳ１１で設定された２つの断面Ｃ１１及びＣ１２のＯＣＴスキャンを実行する（第１走査）。断層像形成部２２１は、第１走査により取得されたデータに基づいて、断面Ｃ１１及びＣ１２に対応する断層像Ｇ１１及びＧ１２を形成する。データ処理部２３０（血管領域特定部２３３及び傾き算出部２３４）は、注目断面Ｃ２における注目血管Ｄｂの傾きＡを算出する。なお、第２走査により取得されたデータを加味して傾きＡを算出する場合、傾きＡの算出は、第２走査より後に実行される。
【０１１７】
（Ｓ１３：第２走査）
血流計測装置１は、注目断面Ｃ２の反復的なＯＣＴスキャンを実行する（第２走査）。位相画像形成部２２２は、第２走査により取得されたデータに基づいて、注目断面Ｃ２における位相差の時系列変化を表す位相画像を形成する。更に、断層像形成部２２１は、当該データに基づいて注目断面Ｃ２の断層像を形成する。データ処理部２３０（血管領域特定部２３３、血管径算出部２３５２等）は、注目断面Ｃ２における注目血管Ｄｂの径を求める。
【０１１８】
（Ｓ１４：血流情報の生成）
血流速度算出部２３５１は、ステップＳ１２の第１走査に基づき算出された傾きＡと、ステップＳ１３の第２走査により取得された位相画像とに基づいて、注目断面Ｃ２における血流速度を算出する。更に、血流量算出部２３５３は、この血流速度の算出結果と、ステップＳ１３で得られた血管径の算出結果とに基づいて、注目血管Ｄｂ内を流れる血液の流量を算出する。
【０１１９】
主制御部２１１は、血流速度の算出結果、血流量の算出結果等を含む血流情報を表示部２４１に表示させる。また、主制御部２１１は、ステップＳ１で入力された患者ＩＤに関連付けて血流情報を記憶部２１２に記憶させる。以上で、本例の血流計測に関する処理は終了となる。
【０１２０】
［作用・効果］
実施形態に係る血流計測装置の作用及び効果について説明する。
【０１２１】
実施形態は、眼底血管の血流情報を取得する血流計測装置であって、データ取得部と、層領域特定部と、傾き算出部とを備える。データ取得部は、血管に沿う断面を含む眼底の領域を光コヒーレンストモグラフィを用いて走査することにより画像データを取得する。層領域特定部は、取得された画像データを解析することにより、この画像データ内の層領域を特定する。傾き算出部は、特定された層領域と上記断面との共通領域の傾きを算出する。一例として、上記実施形態において、データ取得部は、ＯＣＴのための光学系と画像形成部２２０とを含み、層領域特定部は層領域特定部２３２を含み、傾き算出部は傾き算出部２３４を含む。
【０１２２】
実施形態において、傾き算出部は、層領域と断面との共通領域の形状を近似する線分を求め、この共通領域の傾きとして当該線分の傾きを算出することができる。その第１の例として、傾き算出部は、当該共通領域における２点を結ぶ第１線分を求めるよう構成されてよい。第２の例として、傾き算出部は、当該共通領域に最小二乗法を適用することにより第２線分を求めるよう構成されてよい。
【０１２３】
実施形態の血流計測装置は、眼底の注目血管に実質的に直交するように注目断面を指定するためのユーザインターフェイス（２４０）と、注目断面に対して直交するように注目血管に沿う断面を設定する断面設定部（２３１）とを備えてよい。この場合、データ取得部は、断面設定部により設定された断面を含む領域を走査することにより画像データを取得するよう構成されてよい。
【０１２４】
実施形態において、層領域特定部は、網膜の内境界膜（ＩＬＭ）に相当する画像領域を層領域として特定するよう構成されてよい。
【０１２５】
このような実施形態によれば、断層像や位相画像内の血管領域を特定して血管の傾きを算出する場合よりも効率的な処理で傾きの推定値を求めることができる。よって、血管の傾きの算出やその適否判定をリアルタイムで迅速に行うことができる。更に、断層像に明瞭に描出される層領域に基づいて血管の向きを推定することができるので、血流計測の再現性の向上を図ることができる。
【０１２６】
以上に説明した構成は、この発明の実施態様の一例に過ぎない。よって、この発明の要旨の範囲内における任意の変形（省略、置換、付加等）を施すことが可能である。
【符号の説明】
【０１２７】
１  血流計測装置
１００  ＯＣＴユニット
２２０  画像形成部
２３０  データ処理部
２３１  断面設定部
２３２  層領域特定部
２３４  傾き算出部
２３５  血流情報生成部
【図１】
0006502790.tif 000004
【図２】
0006502790.tif 000005
【図３】
0006502790.tif 000006
【図４】
0006502790.tif 000007
【図５】
0006502790.tif 000008
【図６】
0006502790.tif 000009
【図７】
0006502790.tif 000010
【図８】
0006502790.tif 000011
【図９Ａ】
0006502790.tif 000012
【図９Ｂ】
0006502790.tif 000013
【図１０】
0006502790.tif 000014